(57)【要約】【課題】  ネジ止めやスポット溶接などをできるだけ削減して、追加部品の削減を図り、かつ作業性を良好とした板金製の箱組立体構造を得る。【解決手段】  金属製ベースを金属製カバー１により覆って箱組立体を作成する場合、ベース側面とカバー側面とを重ね合わせる際に互いに嵌合し合って、これら両側面をベース面及びカバー面に対して垂直になるよう係止する係止機構を、両側面に設ける。すなわち、カバー１の立ち下がり側面に、先端部が鍵状１１０となった突起部材１１ｂを設け、ベースの立上がり側面には、この鍵状部１１０と嵌合する受け部を設ける。ベースをカバー１で覆って箱を組み立てる場合、突起部材１１ｂの先端の鍵状部１１０が、ベースの立上がり側面の受け部と嵌合し合う。よって、これら側面の前後、左右、上下の各方向の開きや移動が規制されることになって、ネジ止めの削減やスポット溶接の削除、および部品の削減が可能となる。【選択図】      図３
2007053176.tif 000002
【特許請求の範囲】
【請求項１】
側縁部が折り曲げられて立ち上がる側面を有する金属製ベースと、側縁部が折り曲げられて立ち下がる側面を有する金属製カバーとからなり、前記ベースの側面と前記カバーの側面とを重ね合わせて、前記ベースを前記カバーにより覆って箱組立体を構成してなる箱組立構造であって、
前記ベースの側面と前記カバーの側面とを重ね合わせる際に互いに嵌合し合って、両側面をベース面及びカバー面に対して垂直になるよう係止する係止手段を、前記両側面に設けたことを特徴とする箱組立構造。
【請求項２】
前記カバーの側面が前記ベースの側面よりも外側になるよう前記両側面が重ね合わされる場合、
前記係止手段は、前記カバーの側面において内側に突出して設けられ先端が鍵状の突起部材と、前記ベースの側面に設けられ前記突起部材の鍵状部分と係合する受け部とを有することを特徴とする請求項１記載の箱組立構造。
【請求項３】
前記係止手段は、互いに対向する側面においてそれぞれ少なくとも一箇所設けられていることを特徴とする請求項１または２記載の箱組立構造。
【請求項４】
前記対向する側面に挟まれた前記カバーの立ち下がり側面の先端縁において、前記ベース面に引っ掛かるように折り曲げられた折り曲げ部を設けたことを特徴とする請求項３記載の箱組立構造。
【請求項５】
側縁部が折り曲げられて立ち上がる側面を有する金属製ベースと、側縁部が折り曲げられて立ち下がる側面を有する金属製カバーとからなり、前記ベースの側面と前記カバーの側面とを重ね合わせて、前記ベースを前記カバーにより覆って箱組立体を構成する箱組立方法であって、
前記ベースの側面と前記カバーの側面とを重ね合わせる際に互いに嵌合し合って、両側面をベース面及びカバー面に対して垂直になるよう係止する係止手段を設けておき、
前記対向する側面に挟まれた前記カバーの立ち下がり側面の先端縁に設けられた折り曲げ部を、前記ベースの底面に引っ掛け、
この引っ掛け部を中心に前記カバーを回転させつつ前記係止手段による係止をなすことを特徴とする箱組立方法。
【請求項６】
側縁部が折り曲げられて立ち上がる側面を有し、この側面と金属製カバーの側縁部が折り曲げられて立ち下がる側面とを、前記立ち上がる側面が前記カバーの側面よりも内側になるように重ね合わせて、前記カバーにより覆って箱組立体を構成するようにした金属製ベースであって、
前記立ち上がる側面を前記カバーの側面に重ね合わせる際に、前記カバーの側面の内側への突起部材の先端の鍵状部分に係合して、前記両側面をベース面及びカバー面に対して垂直になるよう係止する受け部を、前記立ち上がる側面に設けたことを特徴とするベース。
【請求項７】
前記受け部は、互いに対向する側面においてそれぞれ少なくとも一箇所設けられていることを特徴とする請求項６記載のベース。
【請求項８】
側縁部が折り曲げられて立ち下がる側面を有し、この側面と金属製ベースの側縁部が折り曲げられて立ち上がる側面とを、前記立ち下がる側面が前記ベースの側面よりも外側になるように重ね合わせて、前記ベースを覆って箱組立体を構成するようにした金属製カバーであって、
前記立ち下がる側面を前記ベースの側面に重ね合わせる際に、前記ベースの側面の受け部に係合して、前記両側面をベース面及びカバー面に対して垂直になるよう係止する鍵状突起部材を、前記立ち下がる側面の内側に設けたことを特徴とするカバー。
【請求項９】
前記鍵状突起部材は、互いに対向する側面においてそれぞれ少なくとも一箇所設けられていることを特徴とする請求項８記載のカバー。
【発明の詳細な説明】
【技術分野】
【０００１】
本発明は箱組立構造及び箱組立方法並びにそれに用いるベース及びカバーに関し、特に板金加工された金属製のカバーとベースとを用いて電子装置の筐体などに用いる箱組立構造に関するものである。
【背景技術】
【０００２】
電子装置において、回路基板や回路部品などのを収納するための筐体などには、金属製の箱組立構造が用いられる。このような箱組立構造は、金属製のベースに対して同じく金属製のカバーをかぶせることにより得られるが、一般に、これらベースやカバーは金属板を折り曲げて板金加工されるために、曲げ部は外側に開く性質がある。よって、この開きを防止するために、ネジ止めや、スポット溶接や、更には他の係止部品などを使用して組み立てることが必要になる。
【０００３】
ここで、特許文献１を参照すると、金属ケースと金属カバーとの着脱作業を容易とするための構造が開示されている。すなわち、電子部品を収納する金属ケースの側面と、金属製カバーの側面には、互いに対応する位置に係止凸部と被係止凹部とを形成し、係止凸部を弾性材にて構成する。金属ケースに金属製カバーをかぶせる場合に、弾性材からなる係止凸部を被係止凹部に嵌合させることで、容易にカバーをケースにかぶせることができ、またカバーを外すときも、容易となるというものである。
【０００４】
また、特許文献２を参照すると、合成樹脂で形成されている箱本体部に蓋を被せて箱組構造を得る場合に、ネジ止めなどを不要とするために、これら箱本体部と蓋とを係止するための係着部材を用いる技術が開示されている。
【０００５】
【特許文献１】特開２００４−１７９５９４号公報
【特許文献２】特開平７−０８６７６４号公報
【発明の開示】
【発明が解決しようとする課題】
【０００６】
カバーやベースの側縁部を折り曲げて、立ち下がり側面や立ち上がり側面を形成して作成された板金製の場合において、ベースをカバーにより覆う際に、これら側面同士を重ね合わせて箱組立体を構成するのであるが、このとき、上述したように、板金製の金属板の折り曲げ部分（側面）は、外部に開く性質があり、よって、これら側面を重ね合わせたときに、これら重ね合わせた側面がベース面に対して垂直になることが必要となる。
【０００７】
しかしながら、上述の特許文献１の構成を、板金製のものに適用しても、重ね合わせた側面がベース面に対して垂直になるという保障はなく、よってネジ止めや、スポット溶接などの他の係止機構が必要となる。また、特許文献２の技術では、板金製のものを対象としてるのではなく、合成樹脂製のものを対象としているために、板金特有の上述した外部に開く性質は全くいものであり、また別途用意した個別の係着部材を用いる必要があるために、部品点数の増加、及び係着部材を箱本体部や蓋に嵌め込むという組み立て工数の増加を招く。
【０００８】
本発明の目的は、ネジ止めやスポット溶接などをできるだけ削減して、追加部品の削減を図り、かつ作業性を良好とした板金製の箱組立体構造及びその組立方法並びにそれに用いるベース及びカバーを提供することである。
【課題を解決するための手段】
【０００９】
本発明による箱組立構造は、側縁部が折り曲げられて立ち上がる側面を有する金属製ベースと、側縁部が折り曲げられて立ち下がる側面を有する金属製カバーとからなり、前記ベースの側面と前記カバーの側面とを重ね合わせて、前記ベースを前記カバーにより覆って箱組立体を構成してなる箱組立構造であって、前記ベースの側面と前記カバーの側面とを重ね合わせる際に互いに嵌合し合って、両側面をベース面及びカバー面に対して垂直になるよう係止する係止手段を、前記両側面に設けたことを特徴とする。
【００１０】
そして、前記カバーの側面が前記ベースの側面よりも外側になるよう前記両側面が重ね合わされる場合、前記係止手段は、前記カバーの側面において内側に突出して設けられ先端が鍵状の突起部材と、前記ベースの側面に設けられ前記突起部材の鍵状部分と係合する受け部とを有することを特徴とする
【００１１】
本発明による箱組立方法は、側縁部が折り曲げられて立ち上がる側面を有する金属製ベースと、側縁部が折り曲げられて立ち下がる側面を有する金属製カバーとからなり、前記ベースの側面と前記カバーの側面とを重ね合わせて、前記ベースを前記カバーにより覆って箱組立体を構成する箱組立方法であって、前記ベースの側面と前記カバーの側面とを重ね合わせる際に互いに嵌合し合って、両側面をベース面及びカバー面に対して垂直になるよう係止する係止手段を設けておき、前記対向する側面に挟まれた前記カバーの立ち下がり側面の先端縁に設けられた折り曲げ部を、前記ベースの底面に引っ掛け、この引っ掛け部を中心に前記カバーを回転させつつ前記係止手段による係止をなすことを特徴とする。
【００１２】
本発明によるベースは、側縁部が折り曲げられて立ち上がる側面を有し、この側面と金属製カバーの側縁部が折り曲げられて立ち下がる側面とを、前記立ち上がる側面が前記カバーの側面よりも内側になるように重ね合わせて、前記カバーにより覆って箱組立体を構成するようにした金属製ベースであって、前記立ち上がる側面を前記カバーの側面に重ね合わせる際に、前記カバーの側面の内側への突起部材の先端の鍵状部分に係合して、前記両側面をベース面及びカバー面に対して垂直になるよう係止する受け部を、前記立ち上がる側面に設けたことを特徴とする。
【００１３】
本発明によるカバーは、側縁部が折り曲げられて立ち下がる側面を有し、この側面と金属製ベースの側縁部が折り曲げられて立ち上がる側面とを、前記立ち下がる側面が前記ベースの側面よりも外側になるように重ね合わせて、前記ベースを覆って箱組立体を構成するようにした金属製カバーであって、前記立ち下がる側面を前記ベースの側面に重ね合わせる際に、前記ベースの側面の受け部に係合して、前記両側面をベース面及びカバー面に対して垂直になるよう係止する鍵状突起部材を、前記立ち下がる側面の内側に設けたことを特徴とする。
【発明の効果】
【００１４】
本発明によれば、金属製ベースを金属製カバーにより覆って箱組立体を作成する場合、ベース側面とカバー側面とを重ね合わせる際に互いに嵌合し合って、これら両側面をベース面及びカバー面に対して垂直になるよう係止する係止手段を、両側面に設けたので、これら側面の前後、左右、上下の各方向の開きや移動が規制されることになって、ネジ止めの削減やスポット溶接の削除、および部品の削減が可能となるという効果がある。これに伴って、組立時の工数削減やコスト削減が可能となるという効果もある。
【発明を実施するための最良の形態】
【００１５】
以下に、図面を参照しつつ本発明の実施の形態につき詳細に説明する。図１は本発明の一実施の形態による箱組立体構造のカバー１を示す斜視図であり、カバー１のカバー面１０の裏面から見た斜視図である。また、図２は本発明の一実施の形態による箱組立体構造のベース２を示す斜視図であり、ベース２のベース面２０の上面から見た斜視図である。本例では、電子装置の回路基板や回路ユニットなどを収納するための筐体の例である。
【００１６】
図２のベース２を図１のカバー１により覆うことにより、箱組立体が構成されるものである。カバー１及びベース２は、共に、金属製の板を折り曲げ加工して形成された板金加工の金属板である。カバー１は、その四つの側縁部（４辺）において、下方向の立ち下がり側面１２ａ〜１２ｄを有し、ベース２は、同じくその四つの側縁部（４辺）において、上方向の立ち上がり側面２１ａ〜２１ｄを有する。
【００１７】
そして、ベース２をカバー１により覆って箱組立体構造を形成するためには、カバー１の立ち下がり側面１２ａ〜１２ｄを、ベース２の立ち上がり側面２１ａ〜２１ｄが内側になるように、これら立ち上がり側面２１ａ〜２１ｄと重ね合わせるようになっている。
【００１８】
なお、カバー１の立ち下がり側面１２ａ，１２ｂの、ベース２の立上がり側面２１ｄに近い方の端部には、折り曲げ部１３ａ，１３ｂがそれぞれ形成されており、これら折り曲げ部１３ａ，１３ｂには、ネジ用の貫通穴１４ａ，１４ｂがそれぞれ穿設されている。ベース２をカバー１により覆って箱組立体構造を形成した時（図４参照）、このネジ用の貫通穴１４ａ，１４ｂの位置とそれぞれ対応するベース２の立上がり側面２１ｄの位置には、ネジ穴２３ａ，２３ｂが設けられており、カバー１とベース２とが、図４に示すように、ネジ３１ａ，３１ｂで係止されることになる。
【００１９】
そして、カバー１の互いに対向する一対の立ち下がり側面１２ａ，１２ｂには、図３（Ａ）にその一部拡大斜視図を示すように、カバー１の内側に突出するように突起部材１１ａ，１１ｂが設けられている。これら突起部材１１ａ，１１ｂの先端は鍵状部（Ｌ字状部）１１０がそれぞれ設けられている。この突起部材１１ａ，１１ｂは、立ち下がり側面において、両側から折り曲げて作成された板金が重なっており、二重になっている。
【００２０】
そして、一対の立ち下がり側面１２ａ，１２に対応するベース２の一対の立上がり側面２２ａ，２２ｂには、図（Ｂ）にその一部拡大斜視図を示すように、突起部材１１ａ，１１ｂに対応する箇所に受け部２２ａ，２２ｂがそれぞれ設けられている。これら受け部２２ａ，２２ｂに、突起部材１１ａ，１１ｂの鍵状部１１０がそれぞれ嵌合自在になっている。
【００２１】
図４は本発明による実施の形態の箱組立体構造の完成後の外観図であり、内部に回路基板や回路部品などを収納した状態の外観図である。図５は図４のＡ−Ａ線に沿う断面図を、図６は図４のＢ−Ｂ線に沿う断面図を、それぞれ示している。また、図７および図８は図１，２に示したカバー１とベース２とを組み立てる場合の手順を説明するための側面図である。これら各図において、図１，２と同等部分は同一符号により示している。
【００２２】
これら図を参照すると、ベース２の底面に、カバー１の立ち下がり面１２ａの先端縁に設けられている折り曲げ部１５を引っ掛けて、この引っ掛け部分を中心にしてカバー１を、図７に示すように、下方向に回転させる。この回転により、カバー１の立ち下がり側面１２ａ，１２ｂに設けられている突起部材１１ａ，１１ｂの鍵状部１１０が、ベース２の立ち上がり側面２１ａ，２１ｂの受け部２２ａ，２２ｂに嵌合して、図５，６に示すような状態になって、カバーとベースとの両側面が、自動的に、カバー面１０やベース面２０に対して垂直に位置決めされる。すなわち、これら側面部分が外側へ開いていたとしても、当該開きが規制されるのである。
【００２３】
図５や図８に示すように、ベース底面２０と、カバー１の立ち下がり面１２ａの先端縁に設けられている折り曲げ部１５とにより、カバー１は上方向に持ち上がらないようになり、また突起部材１１ａ，１１ｂと受け部２２ａ，２２ｂとにより、カバー１の下方向への落ち込みも防止される。
【００２４】
そして、図４に示すように、カバー１の背面における折り曲げ部１３ａ，１３ｂのネジ用孔１４ａ，１４ｂを用いて、ネジ止め（３１ａ，３１ｂ）をなすことにより、当該背面での開きも防止されて、組み立てが完了する。このように、箱組立構造を、ネジ２本のみを使用することにより、側面の開きも抑え、かつ容易に組立を行うことができる。
【００２５】
図９は本発明の他の実施の形態の外観図であり、図１〜８と同等部分は同一符号により示している。本例では、カバー１の背面におけるネジ止めを、その中央部分において、１箇所３２のみとして、更なるネジ止め箇所の削減を図っている。
【００２６】
図１０は本発明の更に他の実施の形態の外観図であり、図１〜８と同等部分は同一符号により示している。本例では、カバー１の背面におけるネジ止めを全て排除し、カバー１の立ち下がり側面１２ｄの中央部に、圧接部４１を設けておき、ベース２の立上がり側面を、この圧接部４１により、内側へ付勢するようにする。よって、ネジを使用しないので、部品点数の削減ができ、また作業性が容易となる。
【図面の簡単な説明】
【００２７】
【図１】本発明の実施の形態によるカバーを、その裏面から見た斜視図である。
【図２】本発明の実施の形態によるベースを、その上面から見た斜視図である。
【図３】（Ａ）は図１の一部詳細図、（Ｂ）は図２の一部詳細図である。
【図４】本発明の実施の形態による箱組立構造の外観図である。
【図５】図５のＡ−Ａ線に沿う断面図である。
【図６】図５のＢ−Ｂ線に沿う断面図である。
【図７】本発明の実施の形態による箱組立構造を組み立てる場合の説明図である。
【図８】本発明の実施の形態による箱組立構造を組み立てた後の側面図である。
【図９】本発明の他の実施の形態による箱組立構造の外観図である。
【図１０】本発明の更に他の実施の形態による箱組立構造の外観図である。
【符号の説明】
【００２８】
１  カバー
２  ベース
１０  カバー面
１１ａ，１１ｂ  突起部材
１２ａ〜１２ｄ  立ち下がり側面
１３ａ，１３ｂ，１５  折り曲げ部
１４ａ，１４ｂ  ネジ用孔
２０  ベース面
２１ａ〜２１ｄ  立ち上がり側面
２２ａ，２２ｂ  受け部
２３ａ，２３ｂ  ネジ孔
３１ａ，３１ｂ  ネジ
【図１】
2007053176.tif 000003
【図２】
2007053176.tif 000004
【図３】
2007053176.tif 000005
【図４】
2007053176.tif 000006
【図５】
2007053176.tif 000007
【図６】
2007053176.tif 000008
【図７】
2007053176.tif 000009
【図８】
2007053176.tif 000010
【図９】
2007053176.tif 000011
【図１０】
2007053176.tif 000012